(57)【要約】【課題】簡易な処理で印刷時に生じる画像全体の明暗や色彩などの不自然さを修正する。【解決手段】この画像処理装置は、印刷出力するための画像データを取得する画像データ取得部と、画像データ取得部が取得した画像データに対して所定の処理を施した印刷用画像を生成する画像処理部と、印刷用画像や各種情報を表示する表示部と、ユーザが各種情報を入力する操作部と、画像処理部で処理された印刷用画像とともに、この印刷用画像に対する修正をユーザに設定させるための修正項目が表示される修正注文シートの出力データを生成する修正注文シート生成部と、修正注文シートの印刷出力を行う印刷出力部と、修正注文シートに記載された情報を取得する修正注文シート情報取得部と、修正注文シート情報取得部によって取得された情報に基づき、画像処理部で処理された画像を調整する個別調整処理部と、を備える。【選択図】        図１
2006272726.tif 000002
【特許請求の範囲】
【請求項１】
印刷出力する画像データを取得する画像データ取得手段と、
前記画像データ取得手段によって取得された前記画像データに対して所定の処理を施し、印刷用画像を生成する画像処理手段と、
前記画像処理手段によって処理された前記印刷用画像とともに、当該印刷用画像に対する修正をユーザに設定させるための修正項目が表示される修正注文シートの出力データを生成する修正注文シート生成手段と、
前記修正注文シートの印刷出力を行う印刷出力手段と、
印刷出力された前記修正注文シートに対してユーザが設定した画像修正情報を取得する修正注文シート情報取得手段と、
前記修正注文シート情報取得手段によって取得された前記画像修正情報に基づき、前記画像処理手段によって処理された前記印刷用画像を調整し、前記印刷出力手段に対する各種設定を行う個別調整処理手段と、
を備えていることを特徴とする画像処理装置。
【請求項２】
前記個別調整処理手段は、前記印刷用画像の全体画像の明暗調整、前記印刷用画像の白色調整、前記印刷用画像の青色調整、前記印刷用画像の赤色調整、前記印刷用画像の緑色調整、および前記印刷用画像の黒色調整のうち、いずれか一つまたは二つ以上を実行することを特徴とする請求項１に記載の画像処理装置。
【請求項３】
前記修正注文シートに印刷された前記修正項目には、当該修正注文シートに印刷された前記印刷用画像の全体画像の明暗調整を選択させる項目、前記印刷用画像の白色調整を選択させる項目、前記印刷用画像の青色調整を選択させる項目、前記印刷用画像の赤色調整を選択させる項目、前記印刷用画像の緑色調整を選択させる項目、前記印刷用画像の黒色調整を選択させる項目、前記印刷用画像の本焼き印刷の枚数を指定する項目、および前記修正注文シートの再印刷を要求する項目のうち、いずれか一つまたは二つ以上が含まれていることを特徴とする請求項１または２に記載の画像処理装置。
【請求項４】
前記修正注文シートに印刷された前記修正項目の設定は、筆記具による記入で行われることを特徴とする請求項１〜３のいずれか一つに記載の画像処理装置。
【請求項５】
印刷出力する画像データを取得する画像データ取得工程と、
前記画像データ取得工程によって取得された前記画像データに対して所定の処理を施し、印刷用画像を生成する画像処理工程と、
前記画像処理工程によって処理された前記印刷用画像とともに、当該印刷用画像に対する修正をユーザに設定させるための修正項目が表示される修正注文シートの出力データを生成する修正注文シート生成工程と、
前記修正注文シート生成工程によって生成された前記出力データを用いて、前記修正注文シートの印刷出力を行う印刷出力工程と、
前記印刷出力工程によって印刷出力された前記修正注文シートに対してユーザが設定した画像修正情報を取得する修正注文シート情報取得工程と、
前記修正注文シート情報取得工程によって取得された前記画像修正情報に基づき、前記画像処理工程によって処理された前記印刷用画像を修正する画像修正工程と、
前記画像修正工程によって修正された前記印刷用画像を印刷出力する画像出力工程と、
を含んだことを特徴とする画像処理方法。
【請求項６】
請求項５に記載の画像処理方法をコンピュータに実行させることを特徴とする画像処理プログラム。
【発明の詳細な説明】
【技術分野】
【０００１】
この発明は、修正注文シートに示された情報に基づいて、画像修正を実行し、修正された画像を印刷出力する画像処理装置、画像処理方法、および画像処理プログラムに関する。
【背景技術】
【０００２】
従来より、読み取った原稿画像に対して各種画像処理を施し画像データの生成を行う画像処理装置が数々提案されている。このような画像処理装置で生成された画像データを印刷する際に、画像全体の明暗や色彩などが不自然な状態で出力される場合がある。このような場合、従来は、画像処理装置にパーソナルコンピュータを接続し、画像の修正処理を行ったり、画像全体の明暗や色彩が適切な状態で読み取れるように、ユーザが画像処理装置の設定を変更したりしていた。
【０００３】
また、画像を取り込む際に生じる影を除去する技術が、下記特許文献１に開示されている。
【０００４】
【特許文献１】特開２００３−１５２９７７号公報
【発明の開示】
【発明が解決しようとする課題】
【０００５】
しかしながら、従来のように、画像補正をパーソナルコンピュータや画像処理装置の設定で行うことは、ユーザにとって煩雑な処理を要求されることになり、多量の画像印刷を行う場合に、処理の効率が低下するという問題が生じる。また、特許文献１に記載の技術では、画像を取り込む際に生じる影を除去することはできても、画像全体の明暗や色彩などの補正を行うことはできない。
【０００６】
この発明は、上述した従来技術による問題点を解消するため、簡易な処理で印刷時に生じる画像全体の明暗や色彩などの不自然さを修正できる画像処理装置、画像処理方法、および画像処理プログラムを提供することを目的とする。
【課題を解決するための手段】
【０００７】
上述した課題を解決し、目的を達成するため、この発明にかかる画像処理装置は、印刷出力する画像データを取得する画像データ取得手段と、前記画像データ取得手段によって取得された前記画像データに対して所定の処理を施し、印刷用画像を生成する画像処理手段と、前記画像処理手段によって処理された前記印刷用画像とともに、当該印刷用画像に対する修正をユーザに設定させるための修正項目が表示される修正注文シートの出力データを生成する修正注文シート生成手段と、前記修正注文シートの印刷出力を行う印刷出力手段と、印刷出力された前記修正注文シートに対してユーザが設定した画像修正情報を取得する修正注文シート情報取得手段と、前記修正注文シート情報取得手段によって取得された前記画像修正情報に基づき、前記画像処理手段によって処理された前記印刷用画像を調整し、前記印刷出力手段に対する各種設定を行う個別調整処理手段と、を備えていることを特徴とする。
【０００８】
この発明によれば、修正注文シートに印刷用画像とともに修正項目を記載しこれを画像処理装置に読み取らせるという簡易な処理で、印刷時に生じる画像全体の明暗や色彩などの不自然さを修正することができる。
【０００９】
また、この発明にかかる画像処理装置は、前記個別調整処理手段が、前記印刷用画像の全体画像の明暗調整、前記印刷用画像の白色調整、前記印刷用画像の青色調整、前記印刷用画像の赤色調整、前記印刷用画像の緑色調整、および前記印刷用画像の黒色調整のうち、いずれか一つまたは二つ以上を実行することを特徴とする。
【００１０】
この発明によれば、画像処理装置が、印刷用画像の全体画像の明暗調整、印刷用画像の白色調整、印刷用画像の青色調整、印刷用画像の赤色調整、印刷用画像の緑色調整、および印刷用画像の黒色調整のうち、いずれか一つまたは二つ以上を実行することができる。
【００１１】
また、この発明にかかる画像処理装置は、前記修正注文シートに、前記画像処理手段において所定の処理が施された印刷用画像と、当該印刷用画像の印刷状態を基準にして各種修正をユーザに選択させるための修正項目と、が印刷されていることを特徴とする。
【００１２】
この発明によれば、テスト印刷された印刷用画像を参照しながら、当該印刷用画像の修正項目を選択することができる。
【００１３】
また、この発明にかかる画像処理装置は、前記修正注文シートに印刷された修正項目に、当該修正注文シートに印刷された前記印刷用画像の全体画像の明暗調整を選択させる項目、前記印刷用画像の白色調整を選択させる項目、前記印刷用画像の青色調整を選択させる項目、前記印刷用画像の赤色調整を選択させる項目、前記印刷用画像の緑色調整を選択させる項目、前記印刷用画像の黒色調整を選択させる項目、前記印刷用画像の本焼き印刷の枚数を指定する項目、および前記修正注文シートの再印刷を要求する項目のうち、いずれか一つまたは二つ以上が含まれていることを特徴とする。
【００１４】
この発明によれば、修正注文シートで、印刷用画像の全体画像の明暗調整、印刷用画像の白色調整、印刷用画像の青色調整、印刷用画像の赤色調整、印刷用画像の緑色調整、印刷用画像の黒色調整、印刷用画像の本焼き印刷の枚数、および修正注文シートの再印刷のうち、いずれか一つまたは二つ以上の修正項目を設定することができる。
【００１５】
また、この発明にかかる画像処理装置は、前記修正注文シートに印刷された前記修正項目の設定が、筆記具による記入で行なわれることを特徴とする。
【００１６】
この発明によれば、画像の修正項目の設定を簡易に行うことができる。
【００１７】
また、この発明にかかる画像処理方法は、印刷出力する画像データを取得する画像データ取得工程と、前記画像データ取得工程によって取得された前記画像データに対して所定の処理を施し、印刷用画像を生成する画像処理工程と、前記画像処理工程によって処理された前記印刷用画像とともに、当該印刷用画像に対する修正をユーザに設定させるための修正項目が表示される修正注文シートの出力データを生成する修正注文シート生成工程と、前記修正注文シート生成工程によって生成された前記出力データを用いて、前記修正注文シートの印刷出力を行う印刷出力工程と、前記印刷出力工程によって印刷出力された前記修正注文シートに対してユーザが設定した画像修正情報を取得する修正注文シート情報取得工程と、前記修正注文シート情報取得工程によって取得された前記画像修正情報に基づき、前記画像処理工程によって処理された前記印刷用画像を修正する画像修正工程と、前記画像修正工程によって修正された前記印刷用画像を印刷出力する画像出力工程と、を含んだことを特徴とする。
【００１８】
この発明によれば、簡易な処理で印刷時に生じる画像全体の明暗や色彩などの不自然さを修正することができる。
【００１９】
また、この発明にかかる画像処理プログラムは、上述した画像処理方法をコンピュータに実行させることを特徴とする。
【００２０】
この発明によれば、上述した画像処理方法をコンピュータに実行させることができる。
【発明を実施するための最良の形態】
【００２１】
以下、添付図面を参照して、この発明にかかる画像処理装置、画像処理方法、および画像処理プログラムの好適な実施の形態を詳細に説明する。
【００２２】
（画像処理装置の機能的構成）
図１は、この発明の実施の形態にかかる画像処理装置の機能的構成を示すブロック図である。この画像処理装置は、画像データ取得部１０１と、画像処理部１０２と、表示部１０３と、操作部１０４と、修正注文シート生成部１０５と、印刷出力部１０６と、修正注文シート情報取得部１０７と、個別調整処理部１０８と、を含み構成される。
【００２３】
画像データ取得部１０１は、印刷出力する画像データを取得する。画像処理部１０２は、画像データ取得部１０１が取得した画像データに対して所定の処理を施し、印刷用画像の印刷データを生成する。表示部１０３は、画像や各種情報を表示する。操作部１０４は、ユーザによる文字、数値、各種指示などの入力を受け付ける。修正注文シート生成部１０５は、画像処理部１０２で処理された印刷用画像とともに、この印刷用画像に対する修正をユーザに設定させるための修正項目が表示される修正注文シートの出力データを生成する。印刷出力される修正注文シートには、テスト印刷の印刷用画像とともに、当該印刷用画像を基準にしてユーザの望む画像が得られるように修正を行うために、ユーザに選択・設定させる修正項目が印刷される。印刷出力部１０６は、画像などの印刷出力を行う。修正注文シート情報取得部１０７は、修正注文シートで設定された画像修正項目の情報を取得する。個別調整処理部１０８は、修正注文シート情報取得部１０７によって取得された情報に基づき、画像処理部１０２で処理された画像を調整する。
【００２４】
（画像処理装置のハードウェア構成）
図２は、この発明の実施の形態にかかる画像処理装置のハードウェア構成を示す図である。この画像処理装置は、ＣＰＵ２０１と、ＲＯＭ２０２と、ＲＡＭ２０３と、ディスプレイ２０４と、操作パネル２０５と、プリンタ２０６と、インタフェース（Ｉ／Ｆ）２０７と、スキャナ２０８と、ＨＤＤ２０９と、ＨＤ２１０と、記録媒体デコード部２１１と、を含み構成される。
【００２５】
ＣＰＵ（Ｃｅｎｔｒａｌ  Ｐｒｏｃｅｓｓｉｎｇ  Ｕｎｉｔ）２０１は、所定の演算処理を実行し、この画像処理装置の全体を制御するとともに、前述の画像処理部１０２、修正注文シート生成部１０５、および個別調整処理部１０８の機能を実現する。ＲＯＭ（Ｒｅａｄ  Ｏｎｌｙ  Ｍｅｍｏｒｙ）２０２は、各種制御プログラムを格納する。ＲＯＭ２０２に格納されたデータは、ユーザの操作によって書き換えることが可能ではあるが、電源ＯＦＦによって消去されることはないものとする。ＲＡＭ（Ｒａｎｄｏｍ  Ａｃｃｅｓｓ  Ｍｅｍｏｒｙ）２０３は、可変的なデータを書き換え自在に記憶し、ＣＰＵ２０１のワークエリアとして使用される。
【００２６】
ディスプレイ２０４は、前述の表示部１０３の機能を実現し、カーソル、アイコンあるいはツールボックスをはじめ、文書、画像、機能情報などのデータを表示する。たとえば、ＣＲＴ（Ｃａｔｈｏｄｅ  Ｒａｙ  Ｔｕｂｅ）、ＴＦＴ液晶（Ｔｈｉｎ  Ｆｉｌｍ  Ｔｒａｎｓｉｓｔｏｒ）ディスプレイ、プラズマディスプレイなどである。
【００２７】
操作パネル２０５は、前述の操作部１０４の機能を実現し、文字、数値、各種指示など、ユーザによって入力操作された情報をＣＰＵ２０１に対して出力する。操作パネル２０５の構成としては、物理的な押下／非押下を検出する押ボタンスイッチ、タッチパネル、キーボード、ジョイスティック、トラックボールなど公知の各種形態を採用することが可能である。
【００２８】
なお、この操作パネル２０５は、画像処理装置本体に対して一体的に設けられていてもよいし、リモコンのように画像処理装置に対して着脱可能で離間的に操作可能な形態であってもよい。操作パネル２０５は、上述した各種形態のうちいずれか単一の形態で構成されていてもよいし、複数の形態で構成されていてもよい。ユーザは、操作パネル２０５の形態に応じて適宜入力操作を行うことで情報を入力する。操作パネル２０５の操作によって入力される情報として、たとえばエラー警告表示に対する応答を指示する情報などが挙げられる。
【００２９】
操作パネル２０５の形態として、たとえば、タッチパネルを採用する場合、このタッチパネルはディスプレイ２０４の表示面側に積層して使用される。この場合、ディスプレイ２０４における表示タイミングとタッチパネル（操作パネル２０５）に対する操作タイミングおよびその位置座標とを管理することによって、入力情報を認識する。操作パネル２０５の形態としてディスプレイ２０４に積層されたタッチパネルを採用することにより、操作パネル２０５を大型化することなく多くの情報入力を行うことができる。タッチパネルとしては、抵抗膜式、感圧式など公知の各種タッチパネルを用いることが可能である。
【００３０】
プリンタ２０６は、前述の印刷出力部１０６の機能を実現し、画像や修正注文シートなどの印刷出力を行う。
【００３１】
インタフェース（Ｉ／Ｆ）２０８は、通信回線２１３を通じてネットワークに接続され、ネットワークを介して、図示しないパーソナルコンピュータなどと接続する。そして、インタフェース２０８は、ネットワークと画像処理装置とのインタフェースを司り、画像処理装置に対するデータの入出力を制御する。インタフェース２０８は、たとえばモデムやＬＡＮアダプタなどである。このインタフェース２０８は、ネットワークを介して画像処理装置に画像データを取り込む場合に、前述の画像データ取得部１０１の機能を実現する。
【００３２】
スキャナ２０８は、印刷された画像情報などを画像処理装置に取り込む。このスキャナ２０８は、画像データを紙面に印刷された画像などから取得する場合に、前述の画像データ取得部１０１の機能を実現する。また、修正注文シートに記載された情報を読み取る場合の修正注文シート情報取得部１０７の機能を実現する。
【００３３】
ＨＤＤ（Ｈａｒｄ  Ｄｉｓｋ  Ｄｒｉｖｅ）２０９は、ＨＤ（Ｈａｒｄ  Ｄｉｓｋ）２１０に対する情報の読み取り／書き込みの制御を行う。なお、画像処理プログラムが、たとえば、ＤＶＤ（Ｄｉｇｉｔａｌ  Ｖｅｒｓａｔｉｌｅ  Ｄｉｓｋ）、ＣＤ（Ｃｏｍｐａｃｔ  Ｄｉｓｋ）、ＣＤ−ＲＯＭ（ＣＤ−Ｒ、ＣＤ−ＲＷ）、ＭＯ（Ｍａｇｎｅｔｏ−Ｏｐｔｉｃａｌ  ｄｉｓｋ）、メモリカードなどに記録されている場合、ＨＤＤ２０９に代えて、これらに記憶された情報の少なくとも読み取りが可能な専用のドライブ装置を用いることができる。
【００３４】
ＨＤ２１０は、各種制御プログラムや各種情報をコンピュータに読み取り可能に記録する。ＨＤ２１０は、ＨＤＤ２０９による情報の書き込みを受け付けるとともに、書き込まれた情報を不揮発に記録する。この実施の形態のＨＤ２１０には、後述する画像処理装置の画像処理を実行する画像処理プログラムが記録されている。また、このＨＤ２１０には、画像処理プログラムの実行に際して必要な各種の情報が記録されるメモリエリアが確保されている。
【００３５】
なお、画像処理プログラムは、ＨＤ２１０に記録されているものに限らない。ＨＤ２１０に代えて、上述したＤＶＤ、ＣＤ、ＣＤ−ＲＯＭ（ＣＤ−Ｒ、ＣＤ−ＲＷ）、ＭＯ、メモリカードなどに画像処理プログラムが記録されていてもよい。画像処理プログラムの実行に際し、ＤＶＤ、ＣＤ、ＣＤ−ＲＯＭ（ＣＤ−Ｒ、ＣＤ−ＲＷ）、ＭＯ、メモリカードなどに記録された画像処理プログラムを用いる場合、画像処理装置には、ＤＶＤ、ＣＤ、ＣＤ−ＲＯＭ（ＣＤ−Ｒ、ＣＤ−ＲＷ）、ＭＯ、メモリカードなどに記録された情報の読み取りが可能な専用の読取装置を設ける。
【００３６】
ＨＤ２１０には、プリンタ２０６を駆動するための専用の駆動ドライバが格納されている。駆動ドライバは、インタフェース２０７を介して接続されたプリンタ２０６を動作させるためのソフトウェアであり、ＯＳ（Ｏｐｅｒａｔｉｏｎ  Ｓｙｓｔｅｍ）がプリンタ２０６を制御するための橋渡し的役割を担う。なお、これに限らず、駆動ドライバは、たとえばファームウェアにより構成したり、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）により構成したりしてもよい。
【００３７】
記録媒体デコード部２１１は、記録媒体２１２に記録された情報の読み取りを制御する。この記録媒体デコード部２１１は、画像処理装置が記録媒体２１２から画像データを取り込む場合に、前述の画像データ取得部１０１の機能を実現する。
【００３８】
記録媒体デコード部２１１は、可搬性を有し、記録媒体デコード部２１１に対する着脱が可能な記録媒体２１２を読み取り対象とする。具体的に、記録媒体２１２は、たとえば、ＤＶＤ、ＣＤ、ＣＤ−ＲＯＭ（ＣＤ−Ｒ、ＣＤ−ＲＷ）、ＭＯ、メモリカードなどによって実現される。
【００３９】
記録媒体２１２が、たとえば、ＣＤ−ＲＯＭ（ＣＤ−Ｒ、ＣＤ−ＲＷ）である場合、記録媒体デコード部２１１は、ＣＤ−ＲＯＭドライブによって実現される。ＣＤ−ＲＯＭドライブについては、公知の技術であるため、図示および説明を省略する。たとえば、ＤＶＤ、ＣＤ、ＣＤ−ＲＯＭ（ＣＤ−Ｒ、ＣＤ−ＲＷ）、ＭＯ、メモリカードなどによって記録媒体２１２を実現した場合には、これらの記録媒体２１２に対する情報の読み取りが可能なドライブ装置によって記録媒体デコード部２１１が実現される。
【００４０】
（画像処理装置の処理手順）
図３は、この発明の実施の形態にかかる画像処理装置の処理手順（画像処理方法）を示すフローチャートである。以下、このフローチャートを参照しながら画像処理装置の処理を説明する。以降において、印刷用画像のことを画像と総称して説明する。
【００４１】
図３に示すフローチャートにおいて、表示部１０３が、画像処理部１０２で所定の処理が施されて生成された画像を表示する（ステップＳ３０１）。次に、表示部１０３に表示された画像の中から、ユーザが印刷出力を希望するものをユーザが操作部１０４を操作して選択する（ステップＳ３０２）。修正注文シート生成部１０５がステップＳ３０２で選択された画像について修正注文シートデータ生成し、印刷出力部１０６がそのデータを処理し、修正注文シートを印刷出力する（ステップＳ３０３）。
【００４２】
図４は、ステップＳ３０３の処理によって印刷出力される修正注文シートの一例を示す図である。この修正注文シート４００には、画像処理部１０２において所定の処理が施された画像４０１と、画像４０１の印刷状態を基準にして各種修正をユーザに選択させるための修正項目４０２が印刷されている。修正項目４０２には、たとえば、画像全体の明暗調整（明るく、暗く）を選択させる項目、画像の白色調整（飛ばす、残す）を選択させる項目、画像の青色調整（濃く、薄く）を選択させる項目、画像の赤色調整（濃く、薄く）を選択させる項目、画像の緑色調整（濃く、薄く）を選択させる項目、画像の黒色調整（つぶす、残す）を選択させる項目、画像の本焼き印刷の枚数を指定する項目、修正注文シートの再印刷を要求する項目がある。
【００４３】
そして、ステップＳ３０３で印刷出力された修正注文シート４００に対して、ユーザが修正項目４０２に所定の記載を行う（ステップＳ３０４）。
【００４４】
図５は、ステップＳ３０４の処理によって修正項目の記載が行われた修正注文シート４００の一例を示す図である。修正項目４０２の記載には、一般的な油性のフェルトペンが用いられる。白、青、赤、緑、黒の各色の修正指定は、たとえばフェルトペンで画像４０１上の修正したい部分と修正項目４０２内の修正する色とを結んでフェルトペンの軌跡４０３を描き、該当する修正項目のチェックボックスにチェックを入れることで完了する。色の修正項目以外は、修正（指定）したい項目のチェックボックスをフェルトペンでチェックするだけでよい。図５では、修正項目４０２において、全体画像を明るくするとともに、修正項目４０２および軌跡４０３において背景の赤色を濃くし、修正注文シートの再印刷指定が行われた場合の例を示している。なお、上記のようにフェルトペンではなくても、修正項目４０２にチェックを入れることができる筆記具であれば用いることができる。
【００４５】
修正注文シート情報取得部１０７が、修正項目４０２の記載が完了した修正注文シート４００から画像修正情報を取得する（ステップＳ３０５）。個別調整処理部１０８がステップＳ３０５で取得した画像修正情報に基づき、画像処理部１０２で所定の処理が施されて生成された画像データに対して個別調整処理を行う（ステップＳ３０６）。このステップＳ３０６の詳細は後述する。個別調整処理部１０８が、修正注文シートの再印刷が要求されているか否かを検出する（ステップＳ３０７）。このステップＳ３０７の処理は、修正項目４０２の修正注文シートの再印刷指定欄のチェックの有無を検出することによって行われる。ステップＳ３０７において、修正注文シートの再印刷が要求されている場合（ステップＳ３０７：Ｙｅｓ）は、ステップＳ３０３に戻り、処理を続行する。
【００４６】
一方、ステップＳ３０７において、修正注文シートの再印刷が要求されていない場合（ステップＳ３０７：Ｎｏ）は、印刷出力部１０６がステップＳ３０６において修正された画像データを印刷出力する（ステップＳ３０８）。このステップＳ３０８で印刷出力される画像の一例を図６に示す。
【００４７】
図６は、印刷出力される画像の一例を示す図である。図６においてあらわされている画像は、図５における修正項目４０２において、全体画像を明るくするとともに、修正項目４０２および軌跡４０３において背景の赤色を濃くするように指定したことを反映している。したがって、図５においてあらわされている画像４０１と比較して、図面上では確認しにくいが、全体は明るく変更済みで、かつ背景は赤色が濃く変更済みのものとなっている。なお、上記ステップＳ３０２およびステップＳ３０４の処理は、ユーザによって行われるものであるが、画像処理装置の処理手順を説明する便宜上の観点から、図３のフローチャートにおいて記載した。
【００４８】
ここで、修正項目４０２の記載には、上述したようにフェルトペンで画像４０１上の修正したい部分と修正項目４０２内の修正する色とを結んでフェルトペンの軌跡４０３を描くこと以外にも、つぎのような方式でおこなってもよい。すなわち、白、青、赤、緑、黒などの各色のフェルトペンで画像４０１上の修正したい部分と修正項目４０２内の修正する色とを結んでフェルトペンの軌跡４０３を描くようにしてもよい。このようにすれば、画像４０１上にフェルトペンの軌跡４０３によって様々な修正項目４０２の記載がおこなわれた場合でも、各色ごとにフェルトペンの軌跡４０３をより確実に識別することができ、修正指定の誤検出などを極力回避することが可能となる。
【００４９】
また、各色のフェルトペンで画像４０１上に軌跡４０３を描くこと以外にも、たとえば修正指定したい箇所に直接フェルトペンで指定をおこなってもよい。この場合において、修正指定したい箇所を各色ごとのフェルトペンで指定するようにすれば、たとえば修正項目４０２が修正注文シート４００に印刷されていない場合においても、修正指定をすることができる。すなわち、修正項目４０２が印刷されていない状態の修正注文シート４００の画像４０１上において、修正指定したい箇所を修正したい色のフェルトペンで直接囲んで修正指定する。修正注文シート情報取得部１０７は、上記のような修正指定においても画像修正情報を取得することができる。
【００５０】
（画像の個別調整処理の手順）
図７は、画像の個別調整処理の手順を示すフローチャートである。この個別調整処理は、図３のステップＳ３０６の処理である。この個別調整処理は、画像処理部１０２で所定の処理が施されて生成された画像に対して、個別調整処理部１０８が修正注文シート４００の修正項目４０２に記載された画像修正情報を反映させることによって実行される。
【００５１】
図７に示すフローチャートにおいて、まず、全体画像の明暗調整（明るく、暗く）を行う（ステップＳ７０１）。次に、画像の白色調整（飛ばす、残す）を行う（ステップＳ７０２）。画像の赤色調整（濃く、薄く）を行う（ステップＳ７０３）。画像の青色調整（濃く、薄く）を行う（ステップＳ７０４）。画像の緑色調整（濃く、薄く）を行う（ステップＳ７０５）。最後に、画像の黒色調整（つぶす、残す）を行う（ステップＳ７０６）。
【００５２】
なお、ステップＳ７０１〜ステップＳ７０６において、たとえば修正注文シート４００の修正項目４０２で設定されていない項目の処理は、実行されない。
【００５３】
（個別調整処理の詳細手順）
図８は、個別調整処理の詳細手順を示すフローチャートである。ここでは、図７のステップＳ７０１〜ステップＳ７０６それぞれで実行される個別調整処理の詳細手順を説明する。この処理も、個別調整処理部１０８で実行される。なお、ここでは、修正項目４０２を画像修正指示エリアとして説明する。
【００５４】
図８に示すフローチャートにおいて、まず、修正注文シート４００の画像４０１における画像修正指示エリア（フェルトペンで指示されている）の解析を開始する（ステップＳ８０１）。つぎに、フェルトペンの指示エリアが白でないか否かを検出する（ステップＳ８０２）。このステップＳ８０２においては、指示エリアにフェルトペンでチェックが入っているか否かを検出する。ここで、フェルトペンの指示エリアが白である場合（ステップＳ８０２：Ｎｏ）は、処理を終了する。一方、フェルトペンの指示エリアが白でない場合（ステップＳ８０２：Ｙｅｓ）は、続いてペン指示トレース処理を実行する（ステップＳ８０３）。このステップＳ８０３の処理の詳細は後述する。
【００５５】
次に、修正注文シート４００の修正項目４０２に濃度指示があるか否かを検出する（ステップＳ８０４）。ここで、濃度指示がない場合（ステップＳ８０４：Ｎｏ）は、処理を終了する。一方、濃度指示がある場合（ステップＳ８０４：Ｙｅｓ）は、チェックボックスの指示を記録する（ステップＳ８０５）。
【００５６】
次に、ペン指示があるか否かを検出する（ステップＳ８０６）。ここでいうペン指示とは、フェルトペンの軌跡が画像４０１の修正箇所に到達しているか否かを意味する。ステップＳ８０６において、ペン指示がある場合（ステップＳ８０６：Ｙｅｓ）は、画像４０１のペンで指定されている色の平均色（あらかじめ規定されている）に対して指定色調の補正処理を実行し（ステップＳ８０７）、画像データを保存する（ステップＳ８０８）。一方、ペン指示がない場合（ステップＳ８０６：Ｎｏ）は、画像４０１の全体色調に対して指定色調の補正処理を実行し（ステップＳ８０９）、画像データを保存する（ステップＳ８０８）。
【００５７】
（ペン指示トレース処理の手順）
図９は、ペン指示トレース処理の手順を示すフローチャートである。このペン指示トレース処理は、図８のステップＳ８０３の処理である。この処理も、個別調整処理部１０８で実行される。
【００５８】
図９に示すフローチャートにおいて、フェルトペンで指示されている修正すべき色を記録するとともに、トレースの基点となるフェルトペンの色を記録する（ステップＳ９０１）。次に、フェルトペンの軌跡を画像方向へ設定する（ステップＳ９０２）。フェルトペンの軌跡方向に対して±９０度の画素をスキャンする（ステップＳ９０３）。フェルトペンの軌跡は常に一定方向に向かっているわけではない。したがって、このステップＳ９０３の処理は、予想されるフェルトペンの軌跡の方向に向け、左右に振幅を大きくして±９０度の範囲でフェルトペンの軌跡を探索する。
【００５９】
次に、画像４０１内にあらかじめ規定されている閾値内のペン色があるか否かを検出する（ステップＳ９０４）。ここで、あらかじめ規定されている閾値内のペン色がある場合（ステップＳ９０４：Ｙｅｓ）は、ステップＳ９０３に戻り、画素のスキャン処理を続行する。一方、あらかじめ規定されている閾値内のペン色がない場合（ステップＳ９０４：Ｎｏ）は、ペンの軌跡の終点と判断して指示エリア（個別調整処理を実行するエリア）を決定し、フェルトペンの軌跡方向の複数画素平均色および指示エリアの座標を記録する（ステップＳ９０５）。これにより、指示エリアを検出することができる。
【００６０】
以上説明したように、この発明の実施の形態のかかる画像処理装置は、パーソナルコンピュータを接続して画像の修正処理を行ったり、画像全体の明暗や色彩が適切な状態で読み取れるように、ユーザが画像処理装置の設定の変更を行ったりしなくても、画像が印刷された修正注文シートにその画像を参照しながら画像の修正項目を記載し、これを画像処理装置で読み取らせるだけで、印刷時の生じる画像全体の明暗や色彩などの不自然さを修正することができる。すなわち、他の装置を必要とせず、画像処理装置のみで、簡易な処理（修正注文シートの修正項目欄にフェルトペンで記入するだけ）で印刷時に生じる画像全体の明暗や色彩などの不自然さを修正することができる。
【００６１】
なお、本実施の形態で説明した画像処理方法は、あらかじめ用意されたプログラムをパーソナルコンピュータやワークステーション等、あるいは画像処理装置に組み込まれたコンピュータ等で実行することにより実現することができる。このプログラムは、ハードディスク、フレキシブルディスク、ＣＤ−ＲＯＭ、ＭＯ、ＤＶＤ等のコンピュータで読み取り可能な記録媒体に記録され、コンピュータによって記録媒体から読み出されることによって実行される。またこのプログラムは、インターネット等のネットワークを介して配布することが可能な伝送媒体であってもよい。
【図面の簡単な説明】
【００６２】
【図１】画像処理装置の機能的構成を示すブロック図。
【図２】画像処理装置のハードウェア構成を示す図。
【図３】画像処理装置の処理手順を示すフローチャート。
【図４】印刷出力される修正注文シートの一例を示す図。
【図５】修正項目の記載が行われた修正注文シートの一例を示す図。
【図６】印刷出力される画像の一例を示す図。
【図７】画像の個別調整処理の手順を示すフローチャート。
【図８】個別調整処理の詳細手順を示すフローチャート。
【図９】ペン指示トレース処理の手順を示すフローチャート。
【符号の説明】
【００６３】
１０１  画像データ取得部、１０２  画像処理部、１０３  表示部、１０４  操作部、１０５  修正注文シート生成部、１０６  印刷出力部、１０７  修正注文シート情報取得部、１０８  個別調整処理部、２０１  ＣＰＵ、２０２  ＲＯＭ、２０３  ＲＡＭ、２０４  ディスプレイ、２０５  操作パネル、２０６  プリンタ、２０７  インタフェース（Ｉ／Ｆ）、２０８  スキャナ、２０９  ＨＤＤ、２１０  ＨＤ、２１１  記録媒体デコード部、２１２  記録媒体、２１３  通信回線
【図１】
2006272726.tif 000003
【図２】
2006272726.tif 000004
【図３】
2006272726.tif 000005
【図４】
2006272726.tif 000006
【図５】
2006272726.tif 000007
【図６】
2006272726.tif 000008
【図７】
2006272726.tif 000009
【図８】
2006272726.tif 000010
【図９】
2006272726.tif 000011